(57)【要約】      （修正有）【課題】記録媒体のジャムの発生を抑制するとともに、記録媒体の視認性を向上させることが可能な記録媒体給送装置を提供する。【解決手段】この記録媒体給送装置は、搬送路１１ｂを有する第１給送部と、搬送路１１ｄを有する第２給送部と、搬送路１１ｂと搬送路１１ｄとが合流する合流部１１ａと、を備える。第１給送部は、給送ユニットの一部を構成する。給送ユニットは、合流部１１ａに配置され、可撓性および透光性を有するフィルム部材３４を含む。フィルム部材３４は、用紙に押圧されることにより搬送路１１ｂ〜１１ｄを広げるように揺動する。【選択図】図２
2015117100.tif 000002
【特許請求の範囲】
【請求項１】
第１搬送路を有し、記録媒体を給送する第１給送部と、
前記第１給送部と対向して配置され、第２搬送路を有し、前記記録媒体を給送する第２給送部と、
前記第１搬送路と前記第２搬送路とが合流する合流部と、
を備え、
前記第１給送部は、給送ユニットの一部を構成し、
前記給送ユニットは、
記録媒体収納カセットに収納されている前記記録媒体を給送する給送部材と、
前記合流部に配置され、前記第１給送部および前記第２給送部から搬送されてくる前記記録媒体を搬送方向下流側へ向けて案内する、可撓性および透光性を有するフィルム部材と、
を含み、
前記フィルム部材は、前記記録媒体の幅方向に延在し、基端が前記第１給送部に固定され、自由端が前記合流部に向かって延びるとともに、前記合流部において、前記記録媒体が前記第１給送部から搬送される場合、前記記録媒体に一方面を押圧されることにより前記第１搬送路側の空間を広げる方向に揺動し、前記記録媒体が前記第２給送部から搬送される場合、前記記録媒体に他方面を押圧されることにより前記第２搬送路側の空間を広げる方向に揺動することを特徴とする記録媒体給送装置。
【請求項２】
前記給送ユニットは、画像形成装置本体に対して着脱自在に構成され、
前記フィルム部材は、前記給送ユニットが前記画像形成装置本体に装着された場合、前記合流部に配置されることを特徴とする請求項１に記載の記録媒体給送装置。
【請求項３】
前記第２給送部側に、前記合流部を開放可能な開閉ユニットをさらに備え、
前記開閉ユニットを開放し、前記合流部を露出させた場合、前記フィルム部材を通して、前記第１搬送路が可視可能なことを特徴とする請求項１または２に記載の記録媒体給送装置。
【請求項４】
前記フィルム部材は、記録媒体幅方向中央部から両端部に向けて所定の間隔を隔て、前記自由端から前記基端に向かう複数のスリットが形成されていることを特徴とする請求項１〜３のいずれか１項に記載の記録媒体給送装置。
【請求項５】
前記フィルム部材の前記自由端は、前記合流部の内面から所定の間隔を隔てて配置されていることを特徴とする請求項１〜４のいずれか１項に記載の記録媒体給送装置。
【請求項６】
請求項１〜５のいずれか１項に記載の記録媒体給送装置と、
前記記録媒体給送装置が配置される画像形成装置本体と、
を備え、
前記第１給送部は、前記画像形成装置本体に内臓されたカセット給送部であり、前記第２給送部は、前記画像形成装置本体に配置された手差し給送部であることを特徴とする画像形成装置。
【発明の詳細な説明】
【技術分野】
【０００１】
本発明は、記録媒体給送装置およびそれを備えた画像形成装置に関し、特に、複数の搬送路が合流する合流部を含む記録媒体給送装置およびそれを備えた画像形成装置に関する。
【背景技術】
【０００２】
従来、複写機やプリンターなどの画像形成装置には、複数の用紙（記録媒体）搬送路が設けられているものがある。通常、これらの用紙搬送路は、レジストローラー対の手前で合流するように形成されている。用紙搬送路の合流部には、用紙を下流側（レジストローラー対側）に搬送するために、用紙搬送路の用紙搬送方向を変更する搬送ガイド部材が設けられている。
【０００３】
ところで、近年、画像形成装置に対して小型化の要求が高まっており、それに伴って用紙搬送路も小型化されている。これにより、用紙搬送路の湾曲部分の曲率半径が小さくなっている。
【０００４】
なお、複数の用紙搬送路が合流する合流部に、用紙搬送路の用紙搬送方向を変更する搬送ガイド部材が設けられた記録媒体給送装置は、例えば特許文献１に開示されている。
【先行技術文献】
【特許文献】
【０００５】
【特許文献１】特開２００７−１３１４５５号公報
【発明の概要】
【発明が解決しようとする課題】
【０００６】
しかしながら、用紙搬送路の湾曲部分の曲率半径を小さくすると、用紙搬送負荷が増大するので、コシの強い厚紙等を搬送できない場合があるという問題点がある。特に、用紙搬送路の合流部では、各用紙搬送路の用紙搬送方向を一方向に統一する必要がありスペースを確保しにくいので、湾曲部分の曲率半径が特に小さくなりやすい。このため、用紙搬送路の合流部では、用紙搬送負荷がより増大しやすく、用紙ジャムが特に発生しやすいという問題点がある。
【０００７】
また、用紙搬送路が湾曲していると、用紙搬送路内部が見えにくく用紙の視認性が悪いので、用紙ジャムの発生の有無を確認しにくいという問題点がある。特に、用紙搬送路の湾曲部分の曲率半径が小さい場合、用紙の視認性がより悪くなる。
【０００８】
本発明は、上記のような課題を解決するためになされたものであり、本発明の目的は、記録媒体のジャムの発生を抑制するとともに、記録媒体の視認性を向上させることが可能な記録媒体給送装置およびそれを備えた画像形成装置を提供することである。
【課題を解決するための手段】
【０００９】
上記目的を達成するために、本発明の記録媒体給送装置は、第１搬送路を有し、記録媒体を給送する第１給送部と、第１給送部と対向して配置され、第２搬送路を有し、記録媒体を給送する第２給送部と、第１搬送路と第２搬送路とが合流する合流部と、を備え、第１給送部は、給送ユニットの一部を構成し、給送ユニットは、記録媒体収納カセットに収納されている記録媒体を給送する給送部材と、合流部に配置され、第１給送部および第２給送部から搬送されてくる記録媒体を搬送方向下流側へ向けて案内する、可撓性および透光性を有するフィルム部材と、を含み、フィルム部材は、記録媒体の幅方向に延在し、基端が第１給送部に固定され、自由端が合流部に向かって延びるとともに、合流部において、記録媒体が第１給送部から搬送される場合、記録媒体に一方面を押圧されることにより第１搬送路側の空間を広げる方向に揺動し、記録媒体が第２給送部から搬送される場合、記録媒体に他方面を押圧されることにより第２搬送路側の空間を広げる方向に揺動する。
【発明の効果】
【００１０】
本発明によれば、第１搬送路と第２搬送路とが合流する合流部に、可撓性を有するフィルム部材を設け、フィルム部材は、合流部において、記録媒体が第１給送部から搬送される場合、記録媒体に一方面を押圧されることにより第１搬送路側の空間を広げるように揺動し、記録媒体が第２給送部から搬送される場合、記録媒体に他方面を押圧されることにより第２搬送路側の空間を広げるように揺動する。これにより、フィルム部材は記録媒体に一方面または他方面を押圧されることにより揺動して一方側または他方側の空間（搬送路）が広がるので、搬送路の湾曲部分の曲率半径を大きくすることができる。このため、記録媒体の搬送負荷を低減することができるので、コシの強い厚紙等を用いる場合であってもジャムが発生するのを抑制することができる。
【００１１】
また、フィルム部材は、透光性を有する。これにより、第１搬送路の内部が見えにくくなるのを抑制することができる。また、搬送路の湾曲部分の曲率半径を大きくすることができるので、記録媒体の視認性を向上させることができる。このため、記録媒体のジャムの発生の有無を容易に確認することができる。
【図面の簡単な説明】
【００１２】
【図１】本発明の一実施形態の記録媒体給送装置を備えた画像形成装置の全体構造を示した断面図である。
【図２】本発明の一実施形態の記録媒体給送装置の用紙搬送路の合流部周辺の構造を示した断面図である。
【図３】本発明の一実施形態の記録媒体給送装置のフィルム部材周辺の構造を示した斜視図である。
【図４】本発明の一実施形態の記録媒体給送装置の搬送路ユニットを画像形成装置本体に対して開いて合流部が露出した状態を示した断面図である。
【発明を実施するための形態】
【００１３】
以下、本発明の実施形態について図面を参照して説明する。
【００１４】
図１〜図４を参照して、本発明の一実施形態による記録媒体給送装置を備えた画像形成装置１００について説明する。図１に示すように、画像形成装置１００はタンデム式のカラー複写機であり、画像形成装置１００本体内には４つの画像形成部Ｐａ、Ｐｂ、Ｐｃ及びＰｄが、図１では左側から順に配設されている。画像形成部Ｐａ〜Ｐｄは、異なる４色（イエロー、マゼンタ、シアン及びブラック）の画像に対応して設けられており、それぞれ帯電、露光、現像及び転写の各工程によりイエロー、マゼンタ、シアン及びブラックの画像を順次形成する。
【００１５】
これらの画像形成部Ｐａ〜Ｐｄには、各色の可視像（トナー像）を担持する感光体ドラム１ａ、１ｂ、１ｃ及び１ｄが配設されており、さらに図１において反時計回りに回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写されて重畳された後、二次転写ローラー９の作用によって記録媒体の一例としての用紙２６上に転写され、さらに、定着装置７において用紙２６上に定着された後、装置本体より排出される。感光体ドラム１ａ〜１ｄを図１において時計回りに回転させながら、各感光体ドラム１ａ〜１ｄに対する画像形成プロセスが実行される。
【００１６】
トナー像が転写される用紙２６は、装置下部の給紙カセット（記録媒体収納カセット）１０内に収容されている。用紙２６は給紙カセット１０の用紙積載板２８上に積載されており、ピックアップローラー（給送部材）２９に用紙２６の上面が所定の圧力で圧接された状態でピックアップローラー２９を回転させることで用紙２６の給送が開始される。そして、搬送ローラー対（給送部材）３０により複数枚の用紙２６のうち最上の１枚のみが分離され、用紙搬送路１１に向けて搬送される。用紙搬送路１１を通過した用紙２６はレジストローラー対１４に到達し、画像形成タイミングに合わせて二次転写ローラー９と中間転写ベルト８の駆動ローラー１３との間のニップ部へと搬送される。
【００１７】
中間転写ベルト８には誘電体樹脂製のシートが用いられ、継ぎ目を有しない（シームレス）ベルトが主に用いられる。また、二次転写ローラー９から見て中間転写ベルト８の移動方向の下流側には中間転写ベルト８表面に残存するトナーを除去するためのクリーニングブレード１７が配置されている。
【００１８】
画像読取部２０は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサー等（いずれも図示せず）から構成されており、原稿画像を読み取って画像データに変換する。
【００１９】
次に、画像形成部Ｐａ〜Ｐｄについて説明する。回転自在に配設された感光体ドラム１ａ〜１ｄの周囲及び下方には、感光体ドラム１ａ〜１ｄを帯電させる帯電装置２ａ、２ｂ、２ｃ及び２ｄと、各感光体ドラム１ａ〜１ｄに画像情報を露光する露光装置４と、感光体ドラム１ａ〜１ｄ上にトナー像を形成する現像装置３ａ、３ｂ、３ｃ及び３ｄと、感光体ドラム１ａ〜１ｄ上に残留した現像剤（トナー）を除去するクリーニング装置５ａ、５ｂ、５ｃ及び５ｄが設けられている。
【００２０】
画像読取部２０から画像データが入力されると、先ず、帯電装置２ａ〜２ｄによって感光体ドラム１ａ〜１ｄの表面を一様に帯電させ、次いで露光装置４によって画像データに応じて光ビームを照射し、各感光体ドラム１ａ〜１ｄ上に画像読取部２０からの画像データに応じた静電潜像を形成する。現像装置３ａ〜３ｄは、感光体ドラム１ａ〜１ｄに対向配置された現像ローラー（現像剤担持体）を備え、それぞれイエロー、マゼンタ、シアン及びブラックの各色のトナーを含む二成分現像剤が所定量充填されている。このトナーは、現像装置３ａ〜３ｄの現像ローラーにより感光体ドラム１ａ〜１ｄ上に供給され、静電的に付着することにより、露光装置４からの露光により形成された静電潜像に応じたトナー像が形成される。
【００２１】
そして、一次転写ローラー６ａ〜６ｄにより一次転写ローラー６ａ〜６ｄと感光体ドラム１ａ〜１ｄとの間に所定の転写電圧で電界が付与され、感光体ドラム１ａ〜１ｄ上のイエロー、マゼンタ、シアン及びブラックのトナー像が中間転写ベルト８上に一次転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング装置５ａ〜５ｄにより除去される。
【００２２】
中間転写ベルト８は、従動ローラー１２及び駆動ローラー１３に掛け渡されており、ベルト駆動モーター（図示せず）による駆動ローラー１３の回転に伴い中間転写ベルト８が反時計回りに回転を開始すると、用紙２６がレジストローラー対１４から所定のタイミングで中間転写ベルト８に近接して設けられた二次転写ローラー９と中間転写ベルト８のニップ部（二次転写ニップ部）へ搬送され、ニップ部において用紙２６上にフルカラー画像が二次転写される。トナー像が転写された用紙２６は定着装置７へと搬送される。
【００２３】
定着装置７に搬送された用紙２６は、定着ローラー対１５のニップ部（定着ニップ部）を通過する際に加熱及び加圧されてトナー像が用紙２６の表面に定着され、所定のフルカラー画像が形成される。フルカラー画像が形成された用紙２６は、搬送ローラー対１６を経て用紙搬送路１９の分岐部に配置された搬送ガイド部材２１によって搬送方向が振り分けられ、そのまま（或いは、両面搬送路２３に送られて両面コピーされた後に）、排出ローラー対２４を介して排出トレイ１８に排出される。
【００２４】
用紙搬送路１９は、具体的には、搬送ローラー対１６の下流側において左右二股に分岐し、一方の経路（図１では左方向に分岐する経路）は排出トレイ１８に連通するように構成されている。そして、他方の経路（図１では右方向に分岐する経路）は両面搬送路２３に連通するように構成されている。
【００２５】
次に、用紙搬送路１１の合流部１１ａ周辺の構造について説明する。
【００２６】
用紙搬送路１１は図２に示すように、給紙カセット１０用の搬送路（第１搬送路）１１ｂと、オプション給紙カセット（図示せず）用の搬送路１１ｃと、スタックトレイ（手差しトレイ）３１用の搬送路（第２搬送路）１１ｄと、を含んでいる。搬送路１１ｂ〜１１ｄは、合流部１１ａで合流して１つの搬送路になっている。なお、合流部１１ａには、両面搬送路２３も合流している。
【００２７】
搬送路１１ｂは、合流部１１ａに近づくにしたがって上側に向かうように、湾曲して形成されている。搬送路１１ｂは、給紙カセット１０に繋がっており、給紙カセット１０から用紙２６が搬送される。ピックアップローラー２９および搬送ローラー対３０は、搬送路１１ｂに設けられている。なお、搬送ローラー対３０は、ピックアップローラー２９から送り出された用紙２６を搬送するフィードローラー３０ａと、フィードローラー３０ａに圧接するリタードローラー３０ｂと、を含んでいる。ピックアップローラー２９によって複数枚の用紙２６が同時に給送された場合は、フィードローラー３０ａとリタードローラー３０ｂとによって用紙２６が捌かれ、最上位の１枚のみが用紙搬送方向下流側に向けて送り出される。
【００２８】
搬送路１１ｃは、画像形成装置１００の底面に向かって形成されている。搬送路１１ｃは、画像形成装置１００の底面にオプション給紙カセット（図示せず）を取り付けた場合に、オプション給紙カセットから用紙２６が搬送されるように形成されている。搬送路１１ｃには、用紙２６を搬送する搬送ローラー対３２（図１参照）が設けられている。
【００２９】
搬送路１１ｄは、画像形成装置１００の右側面に設けられたスタックトレイ３１に繋がっており、スタックトレイ３１から用紙２６が搬送される。搬送路１１ｄには、用紙２６を送り出す搬送ローラー３３が設けられている。なお、搬送路１１ｄと、搬送ローラー３３を支持する部材等と、によって、第２給送部（手差し給送部）が構成されている。
【００３０】
用紙搬送路１１の合流部１１ａには、可撓性および透光性を有するフィルム部材３４が設けられている。フィルム部材３４は、搬送路１１ｂと搬送路１１ｃ、１１ｄとの間に配置されており、搬送路１１ｂ〜１１ｄの内面を形成している。
【００３１】
フィルム部材３４は、用紙２６の幅方向（図２の紙面に対して垂直方向）に延在し、上方（記録媒体搬送方向下流側）に向かって延びるように配置されているとともに、フィルム部材３４の上端部（自由端）は、合流部１１ａの内面から所定の間隔を隔てて配置されている。これにより、フィルム部材３４は、用紙２６が搬送路１１ｂから搬送される場合、用紙２６に左側面（一方面）を押圧されることにより左側（一方側）の搬送路１１ｂを広げるように右側（他方側）に揺動し（撓み）、用紙２６が搬送路１１ｂに隣接する右側（他方側）の搬送路１１ｃおよび１１ｄから搬送される場合、用紙２６に右側面（他方面）を押圧されることにより搬送路１１ｃおよび１１ｄを広げるように左側（一方側）に揺動する（撓む）。
【００３２】
また、フィルム部材３４の上端部（自由端）は、後述する上側ガイド部３６の上面よりも上方に突出して配置されているので、フィルム部材３４は、左側または右側に揺動した状態で、用紙搬送路１１の内面の段差部を覆う。これにより、用紙２６が用紙搬送路１１の内面の段差部で引っ掛かるのを抑制することができる。
【００３３】
また、図３に示すように、フィルム部材３４の幅方向中央領域には、揺動端（自由端）から固定端（基端）に向かう２つのスリット３４ａが用紙幅方向中央部から両端部に向けて所定の間隔（例えば、６０〜７０ｍｍ程度）を隔てて形成されている。これにより、フィルム部材３４の幅方向中央領域（スリット３４ａに挟まれた部分）は、図２の左側または右側に撓みやすくなる。
【００３４】
フィルム部材３４の下部（基端）は、下側ガイド部３５に固定されている。下側ガイド部３５は、複数の搬送路の内面を形成しており、例えば、搬送路１１ｂを形成している。下側ガイド部３５の上端部（記録媒体搬送方向下流側の先端部）は、先細り形状に形成されているとともに、フィードローラー３０ａの上端部よりも下方に配置されている。これにより、合流部１１ａ側から搬送ローラー対３０のニップ部を見ることができる。
【００３５】
また、搬送路１１ｂの上面は、下側ガイド部３５に対向配置された上側ガイド部３６により形成されている。この上側ガイド部３６の上面は、フィードローラー３０ａの上端部よりも上方に配置されている。なお、下側ガイド部３５および上側ガイド部３６によって、搬送路１１ｂを有する第１給送部（カセット給送部）が形成されている。また、第１給送部、ピックアップローラー２９、搬送ローラー対３０、フィルム部材３４によって、給送ユニットが構成されている。この給送ユニットは、給紙カセット１０と同様、装置本体に対して図１の紙面に垂直な方向に着脱可能である。
【００３６】
また、フィルム部材３４に対して搬送路１１ｂとは反対側（右上）には、両面搬送路２３の下部を構成する搬送路ユニット（開閉ユニット）３７が設けられている。搬送路ユニット３７は、合流部１１ａの一部を構成している。画像形成装置１００本体の右側面には、搬送ローラー３３付近を回動中心として回動可能な開閉カバー３８（図１参照）が設けられており、搬送路ユニット３７は、開閉カバー３８が回動される（開かれる）ことにより、開閉カバー３８に連動して画像形成装置１００本体に対して回動する（開く）ように構成されている。
【００３７】
そして、搬送路ユニット３７が画像形成装置１００本体に対して回動されることにより、図４に示すように、給送ユニット（フィルム部材３４および下側ガイド部３５等）が画像形成装置１００本体側に固定（装着）された状態で、合流部１１ａが露出する。これにより、合流部１１ａ側からフィルム部材３４を介して搬送路１１ｂの内部を見ることができる。
【００３８】
なお、搬送路１１ｂ、下側ガイド部３５、上側ガイド部３６を含む第１給送部と、搬送路１１ｄを含む第２給送部と、合流部１１ａ、搬送路ユニット３７、フィルム部材３４、ピックアップローラー２９、搬送ローラー対３０等と、によって、記録媒体給送装置が構成されている。
【００３９】
本実施形態では、上記のように、搬送路１１ｂ〜１１ｄが合流する合流部１１ａに、可撓性を有するフィルム部材３４を設け、フィルム部材３４は、合流部１１ａにおいて、用紙２６が搬送路１１ｂから搬送される場合、用紙２６に左側面（一方面）を押圧されることにより左側（一方側）の空間（搬送路１１ｂ）を広げるように揺動し、用紙２６が搬送離１１ｄから搬送される場合、用紙２６に右側面（他方面）を押圧されることにより右側（他方側）の空間（搬送路１１ｃおよび１１ｄ）を広げるように揺動する。これにより、フィルム部材３４は用紙２６に押圧されることにより揺動して搬送路１１ｂ〜１１ｄが広がるので、搬送路１１ｂ〜１１ｄの湾曲部分の曲率半径を大きくすることができる。このため、用紙２６の搬送負荷を低減することができるので、コシの強い厚紙等を用いる場合であっても用紙ジャムが発生するのを抑制することができる。
【００４０】
また、上記のように、フィルム部材３４は、透光性を有する。これにより、搬送路１１ｂの内部が見えにくくなるのを抑制することができる。また、搬送路１１ｂの湾曲部分の曲率半径を大きくすることができるので、用紙２６の視認性を向上させることができる。このため、用紙ジャムの発生の有無を容易に確認することができる。そして、搬送路１１ｂ内での用紙ジャムの発生を見つけた場合、フィルム部材３４を撓ませたり、搬送ローラー対３０のニップ部を解除したりすることによって、用紙２６を引き出して用紙ジャムを容易に解消することができる。
【００４１】
また、上記のように、フィルム部材３４は、給送ユニットが装置本体に装着された場合、合流部１１ａに配置される。これにより、給送ユニットを画像形成装置１００本体に装着するだけで、フィルム部材３４を容易に合流部１１ａに配置することができる。
【００４２】
また、上記のように、搬送路ユニット３７を開放し、合流部１１ａを露出させた場合、フィルム部材３４を通して、装置本体外部から搬送路１１ｂを可視可能である。これにより、搬送路ユニット３７を装置本体に対して開くだけで、合流部１１ａ側から搬送路１１ｂの内部を容易に見ることができる。
【００４３】
また、上記のように、フィルム部材３４は、用紙幅方向中央部から両端部に向けて所定の間隔を隔て、揺動端（自由端）から固定端（基端）に向かう２つのスリット３４ａが形成されている。これにより、フィルム部材３４の幅方向中央領域（スリット３４ａに挟まれた部分）を撓みやすくすることができるので、ハガキや封筒などの小サイズの用紙２６を搬送する際に、用紙２６がフィルム部材３４から受ける搬送負荷を容易に低減することができる。
【００４４】
また、上記のように、フィルム部材３４の上端部は、合流部１１ａの内面から所定の間隔を隔てて配置されている。これにより、フィルム部材３４を、一方側または他方側に容易に撓ませることができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
例えば、図１に示したようなタンデム型のカラー画像形成装置に本発明を適用した例について示したが、本発明はこれに限らない。言うまでもなく、モノクロ複写機、モノクロプリンター、デジタル複合機、ファクシミリ等の、複数の搬送路が合流する合流部を備えた種々の画像形成装置に本発明を適用できる。
【００４７】
また、上記実施形態では、本発明の記録媒体給送装置を画像形成装置に用いた例について示したが、本発明の記録媒体給送装置を画像形成装置以外の装置に用いてもよい。
【００４８】
また、上記実施形態では、合流部１１ａで４つの搬送路（搬送路１１ｂ〜１１ｄ、両面搬送路２３）が合流する例について示したが、本発明はこれに限らず、合流部１１ａで２つまたは３つの搬送路が合流するように構成してもよい。
【００４９】
また、上記実施形態では、フィルム部材３４にスリット３４ａが２つ形成されている例について示したが、本発明はこれに限らず、フィルム部材３４にスリット３４ａが３つ以上形成されていてもよい。
【００５０】
また、上記実施形態では、開閉ユニットが搬送路ユニットである例について示したが、開閉ユニットは、搬送路以外のユニットであってもよい。
【符号の説明】
【００５１】
１０  給紙カセット（記録媒体収納カセット）
１１ａ  合流部
１１ｂ  搬送路（第１搬送路）
１１ｃ  搬送路
１１ｄ  搬送路（第２搬送路）
２６  用紙（記録媒体）
２９  ピックアップローラー（給送部材）
３０  搬送ローラー対（給送部材）
３４  フィルム部材
３４ａ  スリット
３５  下側ガイド部
３６  上側ガイド部
３７  搬送路ユニット（開閉ユニット）
１００  画像形成装置
【図１】
2015117100.tif 000003
【図２】
2015117100.tif 000004
【図３】
2015117100.tif 000005
【図４】
2015117100.tif 000006